(57)【要約】【課題】幼虫のときに土中にもぐり込んでいて、成虫となって植物体の茎・枝に寄生するようになる害虫の駆除が適確に行え、かつ、薬液の散布が、種々の栽培様式で育成されている圃場の植物に対し、適応した状態で行えるようにする。【解決手段】ハンドル３を持って操作し得る機体１を、先端側に小径の走行輪２を軸支してカート状に形成して、その先端側に取付台８を組み付け、この機体１に、送液ホースＨを介して別体の動力噴霧機の吐出口に接続する薬液の散布器ｗを、動力噴霧機に対し送液ホースＨを介して接続する接続部ｂと、これに接続するフレキシブルな導管部ｃと、その導管部ｃに接続する噴頭部ａとで形成して装架し、それの噴頭部ａを機体１の先端側に装設する取付台８に、取り付け位置の上下の変更調節自在に取り付け支持せしめる。【選択図】        図１
2004147525.tif 000002
【特許請求の範囲】
【請求項１】
手元側に設けたハンドル３を持って操作し得る機体１を、それの先端側に小径の走行輪２を軸支してカート状に形成するとともにその先端側に取付台８を組み付け、この機体１に、送液ホースＨを介して別体の動力噴霧機の吐出口に接続する薬液の散布器ｗを、動力噴霧機に対し送液ホースＨを介して接続する接続部ｂと、これに接続するフレキシブルな導管部ｃと、その導管部ｃに接続する噴頭部ａとで形成して装架し、それの噴頭部ａを機体１の先端側に装設する取付台８に、取り付け位置の上下の変更調節自在に取り付け支持せしめることを特徴とする薬液の散布装置。
【請求項２】
手元側に設けたハンドル３を持って操作し得る機体１を、それの先端側に小径の走行輪２を軸支してカート状に形成するとともにその先端側に取付台８を組み付け、この機体１に、送液ホースＨを介して別体の動力噴霧機の吐出口に接続する薬液の散布器ｗを、動力噴霧機に対し送液ホースＨを介して接続する接続部ｂと、これに接続するフレキシブルな導管部ｃと、その導管部ｃに接続する噴頭部ａとで形成して装架し、それの噴頭部ａを機体１の先端側に装設する取付台８に、取り付け位置を上下および左右方向に変更調節自在に取り付け支持せしめることを特徴とする薬液の散布装置。
【請求項３】
噴頭部ａのノズル６を、円筒状乃至多角筒状に形成したボディ６ａと、そのボディ６ａの周壁の周方向における所定の角度範囲に開設した薬液を条線状に噴出させる複数個の噴口６０とで形成することを特徴とする請求項１または請求項２記載の薬液の散布装置。
【請求項４】
散布器ｗの噴頭部ａに設ける円筒状乃至多角筒状に形成したノズル６を、それのボディ６ａの内周面の両端部にＯリングＲをそれぞれ嵌装して、そのボディ６ａの両端部を、噴頭部ａのノズル取付金具７に設けた嵌合筒部７１およびノズル取付金具７に対し螺合するセットボルト９の頭部側に設けた嵌合筒部９０とに、それぞれＯリングＲを介し嵌合して、外部よりの周方向の負荷によりそのボディ６ａが回転する状態にノズル取付金具７にセットし、そのボディ６ａを回動させることによりそのボディ６ａの周壁に設けた噴口６０からの薬液の噴射方向を変更し得るようにしたことを特徴とする請求項１または請求項２または請求項３記載の薬液の散布装置。
【発明の詳細な説明】
【０００１】
【発明が属する技術分野】
本発明は、薬液をノズルから散布する散布器を、可搬式の機体に支架し、その散布器を、繰り出し可能な送液ホースを介して、前記機体と別体の固定設置式の動力噴霧機の吐出口に接続し、散布ノズルを支架した機体を操作して、動力噴霧機で吐出させる薬液を散布器から噴出させて、植物の病害虫を駆除するように用いる薬液の散布装置についての改良に関する。
【０００２】
【従来の技術】
上述の形態の従前の薬液散布装置は、通常、可搬式の機体をハンディ式の竿状とし、これに散布器を組み付け支架し、その散布器の薬液の入口管を、別体の固定設置式の動力噴霧機または移動走行自在とした車体に装架した動力噴霧機の吐出口に、繰り出し可能な送液ホースを介して接続することで、作業員が竿状の機体を持って散布器に設けたコックを操作することにより散布器の噴頭部に設けたノズルから薬液を噴出させて、圃場に栽培している作物に対し散布していくようにしている。
【０００３】
そして、機体に支架する散布器は、それの器体に、動力噴霧機に対し接続する送液ホースの接続口および導管路を開閉するコックならびにノズルを設けて構成するが、この散布器に取り付けられるノズルは、そこから噴出する薬液を、旋回させて細孔から細かな霧状として噴霧する噴霧ノズルに構成してあるものである。
【０００４】
【発明が解決しようとする課題】
上述の形態の薬液散布装置は、通常の病害虫の駆除には、効能を発揮するが、カイガラ虫のように、幼虫の時代には土中にもぐり込んでいて、成虫となって栽培植物の枝の部位および葉の裏側に寄生するようになる害虫に対しては、駆除の効果をあげ得ない問題がある。
【０００５】
このような害虫の駆除は、それが幼虫の内に駆除するのが最も良いとされるが、栽培植物の上面側からそれを覆うように噴霧ノズルから噴霧される薬液が土の中までは浸透せず、そのため、この土中の幼虫の駆除の効果をあげ得ないでいること、また、栽培植物の茎・枝に寄生するようになった成虫に対しても、噴霧する薬液が、いり組んだ栽培植物の枝の奥までとどかないことで、駆除の効果をあげ得ないでいる。
【０００６】
本発明は、上述の形態の散布装置に生じているこの問題を解消するためになされたものであって、カイガラ虫のように、幼虫のときに土中にもぐり込んでいて、成虫となって植物体の茎・枝に寄生するようになる害虫の駆除が適確に行え、かつ、薬液の散布が、種々の栽培様式で育成されている圃場の植物に対し、適応した状態で行え、しかも、機体の取り扱い操作が著しく容易なものとして薬液を散布していけるようにする薬液の散布装置を提供することを目的とする。
【０００７】
【課題を解決するための手段】
本発明は、上述の目的を達成するために、種々の研究を重ねて得られた知見に基づいてなされたものである。
【０００８】
即ち、散布する薬液が土中にまで浸透していくようにするには、薬液を土面に近い低い位置から少し下向きの横方向に直線の条線状に噴出させて、その薬液の条線が圃場の土面に直射していくようにして、土面に到達する薬液の量が局所的に多くなるようにしてやればよいことが判り、また、植物体の入り組んだ枝に対しては、条線状に噴出させる薬液を、低い位置から略水平な方向に噴射させるようにすることが有効で、また、葉の裏側に対しては、条線状に噴出させる薬液を、低い位置から少し上向きの横方向として噴射させることで有効に対処し得ることが判ってきた。
【０００９】
また、土中の幼虫に対処するための、低い位置から土面に向け少し下向きの横方向に噴出させる薬液の条線と、入り組んだ植物体の枝に寄生する害虫に対処するための、低い位置からの略水平な方向に噴出させる薬液の条線と、植物体の葉の裏側に寄生する害虫に対処するための低い位置から少し上向きの横方向に噴出させる薬液の条線とが、一度に得られるようにするには、ノズルのボディを、円筒状乃至多角筒状に形成して、それの周壁に、薬液をボディの周面の放射方向に条線状に噴出させる噴口を開設し、その噴口を複数個、周方向に位置を変えて並列するように開設することが有効であるという結果が得られた。
【００１０】
そして、このことから、本発明においては、上述の目的を達成するための手段として、機体に支架する散布器に設けるノズルを、それの噴頭部のノズルのボディを、円筒状乃至多角筒状に形成して、そのボディの周壁の周方向における所定の角度範囲に開設した薬液を条線状に噴出させる複数個の噴口とで形成する手段を提起するものである。
【００１１】
また、このような害虫に対する薬液の散布作業は、機体の先端側に設ける散布機のノズルを常時、地表近くの低い位置にあるように位置せしめて散布作業を行うように機体を操作することから、機体の先端側に圃場面に接して回転する走行輪を軸支して、手押しのカートに構成し、これに、散布器を組み付け支架することで、前述した状態での薬液の散布作業が操作性を容易にしながら適確に行える結果を得たことから、上述の手段に併せて、手元側に設けたハンドルを持って操作し得る機体を、それの先端側に小径の走行輪を軸支してカート状に形成し、この機体に、送液ホースを介して別体の動力噴霧機の吐出口に接続する薬液の散布器を、それのノズルを設けた噴頭部が機体の先端側に位置するよう配位して装架せしめる手段を提起するものである。
【００１２】
さらに、先端側に走行輪を軸支して手押しのカート状に構成した機体に、散布器を組み付け支架するときに、機体の先端側に取付台を装架して、これに散布器の噴頭部を、昇降、または左右に変位調節自在に組み付けることで、植物体に対するノズルからの薬液の噴射の高さ位置の調整が行われることから、機体に装架する散布器を、動力噴霧機に対し送液ホースを介して接続する接続部と、これに接続するフレキシブルな導管部と、その導管部に接続する噴頭部とで形成し、その噴頭部を、機体の先端側に装設する取付台に、取り付け位置の変更調節自在に取り付け支持せしめる手段を併せて提起するものである。
【００１３】
さらにまた、上述の調節の操作に際し、散布器の噴頭部の機体に対する動きが、散布器のコック部および接続部を変位させることなく行えるようにするために、散布器を、それの噴頭部と弁機構および接続口設ける接続部とを別体に形成して、それらをフレキシブルのチューブまたはホースよりなる導管部で接続することで構成し、それの噴頭部を前述の取付台に、昇降および左右の変位調節自在に装架する手段を提起し、さらに、円筒状乃至多角筒状に形成したノズルのボディの周壁に設けた噴口からの薬液の噴射方向の変更調節が容易に行えるようにするために、円筒状乃至多角筒状に形成したノズルのボディの内周面の両端部には、それぞれＯリングを装着しておき、また、このノズルのボディを取り付けるノズル取付金具には、そのボディの内腔の内端側に嵌合する嵌合筒部とそのボディの内端面に衝合する鍔部を設けておき、ノズル取付金具に螺合してそのボディを組付けるセットボルトの頭部側には、そのボディの内腔の外端側に嵌合する嵌合筒部とそのボディの外端面に衝合する鍔部を設けておくことで、このボディをセットボルトによりノズル取付金具に取り付けた状態においてそのボディが、Ｏリングの接触面による摺動により回転可能としておき、この回転により、ノズルのボディの周壁に設けた噴口からの薬液の噴射方向・角度を変更自在とする手段を併せて提起するものである。
【００１４】
【発明の実施の形態】
次に本発明の実施の態様を、実施例の図面に従い詳述する。
図１は、本発明を実施せる薬液の散布装置Ａの全体の斜視図で、同図において、１は機体、２は走行輪、３はハンドル、３０は補助ハンドル、ｗは散布器、ａはその散布器ｗの噴頭部、ｂは散布器ｗを動力噴霧機の吐出口に対し送液ホースＨを介して接続せしめるための接続部、ｃはその接続部ｂと噴頭部ａとを連通する導管部を示す。
【００１５】
機体１は、従前の噴霧装置の機体と同様に、竿状に形成して、それの手元側に操作用のハンドル３および補助ハンドル３０を設け、そのハンドル３を持って自由に操作し得る様に構成してよいが、先端側には、比較的小径の走行輪２を軸支して、これを接地させることにより手元側のハンドル３の操作により手押しで走行するカート状に構成することが望ましく、むしろ有効である。
【００１６】
この機体１に組み付け支架せしめる散布器ｗは、別体に構成されて所望の場所に設置される動力噴霧機（図示省略）の薬液の吐出口に対し送液ホースＨを介して接続させる接続部ｂと、ノズル６を取り付ける噴頭部ａと、それらの間を接続する導管部ｃとを具備せしめ、それの接続部ｂには、送液ホースＨを接続するためのより戻し装置付きの接続口４０と送液ホースＨから導入した薬液の噴頭部ａ側への供給をオン・オフ制御する弁機構およびそれの切換操作を行うコック４１とを装備せしめ、この接続部ｂと導管部ｃを介して接続する噴頭部ａには、ノズル取付金具７を設けてそれにノズル６を取り付けるようにして構成することについては、従前のいわゆる噴霧竿の形態の薬液の散布装置における散布器と同様に構成してよい。
【００１７】
しかし、図１にある実施例においては、接続部ｂと噴頭部ａとは別体に形成し、かつ、これらを接続する導管部ｃを、フレキシブルなチューブまたはホースにより形成している。
【００１８】
これは、散布器ｗを機体１に組み付け支架して、その機体１を操作することにより薬液の散布作業を行う際において、散布器ｗの噴頭部ａに設けたノズル６からの薬液の噴射方向・噴射位置の変更のために、噴頭部ａを機体１に対して動かすときに、散布器ｗの全体を動かすことなく、噴頭部ａだけを変位・調節するだけで行えるようにするためである。
【００１９】
そして、この噴頭部ａは、図示する例においては、機体１の先端側の上面に、金属板をチャンネル状に折り曲げて台箱状に形成した取付台８を設けて、これに取り付け位置の変更が自在に行えるように組み付け、それの取り付け位置の変更が、機体１に固定状態に支架した接続部ｂに接続するフレキシブルな送液チューブまたは送液ホースとした導管部ｃの撓曲で行えるようにしている。
【００２０】
さらに、この図示する実施例においては、噴頭部ａは、台箱状に形成した取付台８の左右の側板８ａに、上方方向のガイド溝８０を設けて、これに、昇降板８１に設けたセットネジ８２を、それの左右の両側面のネジ溝を切削し平面に加工して、その左右の平面により自在に昇降するように、図３にあるよう側板８ａの内面側から嵌挿し、ガイド溝８０から取付台８の側板８ａの外面側に突出してくるセットネジ８２の先端部にノブナット８３を螺合して締着することで、昇降板８１が所望の取り付け高さ位置に保定されるようにし、この昇降板８１に、スライド板８４を左右に自在にスライドするよう組み付け、そのスライド板８４をノブナット８５により所望のスライド位置に固定し得るようにしておいて、そのスライド板８４の左右方向の外端側に噴頭部ａをノブナット８６により取り付けることより、スライド板８４のスライドと昇降板８１の昇降により、噴頭部ａの取り付け位置が、上下方向と左右方向に変位調節されるようにしている。
【００２１】
この噴頭部ａは、それの本体となるノズル取付金具７と、これに取り付けるノズル６と、ノズルをノズル取付金具７に取り付けセットするセットボルト９とで構成し、それの本体となるノズル取付金具７を前述の取付台８に設けたスライド板８４に取り付けることで機体１に対し装着されるようにしている。
【００２２】
そして、この噴頭部ａにセットするノズル６は、それのボディ６ａを円筒状に形成して、それの周壁に、放射方向に向かう噴口６０を開設してこの噴口６０から薬液をボディ６ａの周面の放射方向に条線状に噴出させるようにし、かつ、その薬液を噴出させる噴口６０を、ノズル６のボディ６ａの周壁の、周方向において略９０度程度の角度範囲とした部位に、周方向に適宜の間隔をおいて複数個設けることで、複数の噴口６０のそれぞれから、条線状の薬液がボディの周面の放射方向に噴出するように構成している。
【００２３】
このボディ６ａを円筒状に形成したノズル６を取り付ける噴頭部ａのノズル取付金具７は、図５にあるように、一端側には接続部ｂと接続する導管部ｃを接続する接続口７０を設け、この接続口７０を、送液ホースＨの先端側に嵌挿した接続ニップル５０とそれに組み付けた接続ナット５１とからなる接続金具５を介して導管部ｃに対し接続し、他端側には、前述の円筒状のノズル６のボディ６ａに対し、それの一端側の内周に嵌合する嵌合筒部７１を設けるとともに、この嵌合筒部７１をノズル６のボディ６ａに嵌合させたときに、そのボディ６ａの一端側の端面に当接する鍔部７２を設け、かつ、内周部位にセットボルト９と螺合する雌ネジを設けたネジ部７３を設けておく。
【００２４】
また、このノズル取付金具７にノズル６を取り付けセットするセットボルト９は、図５にあるように、それの頭部側に、前記ノズル６のボディ６ａに対し、それの他端側の内周に嵌合する嵌合筒部９０とそのノズル６のボディ６ａの他端側の端面に当接する鍔部９１を設けておき、ノズル６のボディ６ａをノズル取付金具７に取り付けるときは、そのボディ６ａをセットボルト９の外周に嵌挿した状態として、それの一端側をノズル取付金具７の嵌合筒部７１に嵌合し、そのボディ６ａの他端側にはセットボルト９の頭部側に設けた嵌合筒部９０を嵌合させて、セットボルト９の先端側のネジ部９２を、ノズル取付金具７のネジ部７３に螺合し、ノズル６のボディ６ａの両端の端面が、セットボルト９の頭部側の鍔部９１およびノズル取付金具７の鍔部７２に対し緩く衝合した状態として取り付けセットする。
【００２５】
このとき、ノズル６のボディ６ａの両端部における内周側には、それぞれ、ＯリングＲの嵌合溝を設けておいて、ここにＯリングＲに嵌装しておき、このＯリングＲが嵌合筒部７１・９０の外周面にそれぞれ密着することで、ノズル６ボディ６ａの内腔の外部に対する水密が保持されるとともに、そのＯリングＲの接触面の摩擦によりノズル６のボディ６ａを、ノズル取付金具７に対し固定状態に保持するようにする。
【００２６】
そして、これにより、ノズル６のボディ６ａに対し、少し強い負荷を周方向に加えることで、そのボディ６ａが周方向に回動して、所望の回動位置において固定保持されるようになって、この回動で、ノズル６のボディ６ａの周壁に設けた噴口６０からの薬液の噴射方向の変更調節が行えるようにしてある。
【００２７】
また、このノズル６は、それを取り付けたスライド板８４を図５にあるよう機体１の側方に引き出すことで、機体１から側方に張り出した位置で薬液の噴出を行うようになり、この状態において、図７にあるよう昇降板８１を下降させることで、ノズル６が低い位置で張り出した位置を占めるようになる。
【００２８】
このとき、ノズル６を、取付台７の左右の両側に一対に対向するように２連に並設しておくときは、機体１を、それの走行輪２により、圃場に栽培している植物の畝間を走行させたときに、畝間の両側の植物に対し、その畝間の狭広に応じ、所望の距離と高さに調節して、薬液を散布していけるようになる。
【００２９】
【発明の効果】
以上説明したように、本発明による薬液の散布装置は、機体を先端側に小径の走行輪を軸支したカート状に構成して、その機体の先端側に、支架した散布器の噴頭部を配設するようにしているのだから、カイガラ虫などの害虫の駆除のための薬液の散布作業が楽にかつ適確に行えるようになる。
【００３０】
また、噴頭部に設けるノズルを、ドラム状に形成して、それの周壁に薬液を条線状に噴出する噴口を、周方向に間隔をおいて複数個設けて構成しているのだから、薬液を地中および植物体の枝ならびに葉の裏側に対し適確に散布していけるようになる。
【図面の簡単な説明】
【図１】本発明を実施せる薬液の散布装置の全体の側面図である。
【図２】同上の機体の先端部分の側面図である。
【図３】同上の機体の取付台部の一部破断した斜視図である。
【図４】同上の機体の先端部分の前面図である。
【図５】同上の機体に支架した散布器の噴頭部の縦断側面図である。
【図６】同上の機体の先端部分の斜視図である。
【図７】同上部分のスライド板を側方に張り出させ、かつ、取付台に対し下降させた状態の斜視図である。
【図８】同上部分のスライド板を引き込ませて上昇させた状態の斜視図である。
【図９】同上部分のスライド板を引き込ませて下降させた状態時の斜視図である。
【符号の説明】
Ａ…散布装置、Ｒ…Ｏリング、Ｈ…送液ホース、ａ…噴頭部、ｂ…接続部、ｃ…導管部、ｗ…散布器、１…機体、２…走行輪、３…ハンドル、３０…補助ハンドル、４０…接続口、４１…コック、５…接続金具、５０…接続ニップル、５１…接続ナット、６…ノズル、６ａ…ボディ、６０…噴口、７…ノズル取付金具、７０…接続口、７１…嵌合筒部、７２…鍔部、７３…ネジ部、８…取付台、８ａ…側板、８０…ガイド溝、８１…昇降板、８２…セットネジ、８３…ノブナット、８４…スライド板、８５・８６…ノブナット、９…セットボルト、９０…嵌合筒部、９１…鍔部、９２…ネジ部。
【図１】
2004147525.tif 000003
【図２】
2004147525.tif 000004
【図３】
2004147525.tif 000005
【図４】
2004147525.tif 000006
【図５】
2004147525.tif 000007
【図６】
2004147525.tif 000008
【図７】
2004147525.tif 000009
【図８】
2004147525.tif 000010
【図９】
2004147525.tif 000011